(57)【要約】【課題】各種の行事の撮影写真のように一群の画像に対して多数のプリント注文者が写真プリントの作製注文をする場合に、各当事者の作業負担を可及的に低減できるようにする。【解決手段】プリント注文を受付けてプリント処理させるプリント注文受付システムにおいて、複数のプリント注文者から前記作製注文を受付ける一群の画像の画像データである第１画像データ群と、単一のプリント注文者から前記作製注文を受付ける一群の画像の画像データである第２画像データ群とが混在して画像データ保存装置ＩＳに記憶保持され、設定した基本処理期間内に前記第１画像データ群についての前記作製注文を受付けたときには、その作製注文の指示内容を示す情報を記憶保持し、前記基本処理期間の経過後に、前記基本処理期間内の全てのプリント注文についてプリント処理させる。【選択図】図１
2007259208.tif 000002
【特許請求の範囲】
【請求項１】
画像データ保存装置に保存されている画像データの画像についての写真プリントの作製注文をするプリント注文者から前記作製注文を受付ける注文受付部と、その受付けた前記作製注文に従って、前記画像データ保存装置に保存されている画像データを読出して写真プリントを作製するように写真プリント装置へ指示するプリント指示部とが備えられたプリント注文受付システムであって、
複数のプリント注文者から前記作製注文を受付けることを予定している一群の画像の画像データである第１画像データ群と、単一のプリント注文者から前記作製注文を受付けることを予定している一群の画像の画像データである第２画像データ群とが混在して前記画像データ保存装置に記憶保持されている場合において、
前記第１画像データ群についての前記作製注文の処理のための基本処理期間が設定され、
その基本処理期間内に前記第１画像データ群についての前記作製注文を受付けたときには、
前記注文受付部は、その作製注文の指示内容を示す情報を記憶保持し、
前記プリント指示部は、前記基本処理期間の経過後に、前記注文受付部に記憶保持されている前記基本処理期間内に受付けた前記第１画像データ群についての全ての前記作製注文の前記指示内容を示す情報に従って、前記写真プリント装置に写真プリントの作製を指示し、
前記第２画像データ群についての前記作製注文を受付けたときには、
注文受付部が受付けた前記作製注文の指示内容を示す情報に従って、前記プリント指示部が直ちに前記写真プリント装置に写真プリントの作製を指示するように構成されているプリント注文受付システム。
【請求項２】
前記基本処理期間は、前記第１画像データ群についての前記作製注文を受付け可能な期間として前記プリント注文者に対して提示されている期間と一致させてある請求項１記載のプリント注文受付システム。
【請求項３】
前記注文受付部に、前記プリント注文者のクライアントコンピュータからインターネットを経て前記作製注文を受け取るプリント受注用のサーバコンピュータが備えられた請求項１又は２記載のプリント注文受付システム。
【請求項４】
前記サーバコンピュータは、前記プリント注文者のクライアントコンピュータからの送信要求に応じて、前記作製注文の候補となる画像の縮小画像と前記作製注文の指示内容を入力するためのフォーマットとを前記クライアントコンピュータのモニタに表示させるためのファイルを送信するように構成されている請求項３記載のプリント注文受付システム。
【発明の詳細な説明】
【技術分野】
【０００１】
本発明は、画像データ保存装置に保存されている画像データの画像についての写真プリントの作製注文をするプリント注文者から前記作製注文を受付ける注文受付部と、その受付けた前記作製注文に従って、前記画像データ保存装置に保存されている画像データを読出して写真プリントを作製するように写真プリント装置へ指示するプリント指示部とが備えられたプリント注文受付システムに関する。
【背景技術】
【０００２】
かかるプリント注文受付システムとしては、例えば、プリントショップに設置されている画像データ保存装置の画像データによってリプリントの作製を依頼する一般的なプリント注文の他、下記特許文献１に記載のように、学校等の各種の行事の際に、写真撮影の専門家がその行事の各場面を撮影し、その行事の参加者が撮影した写真の中から適宜に所望の写真を選択してプリント注文するような場合にも対応する必要がある。
このような学校等の行事等の写真の場合は、学校等が各プリント注文者からのプリント注文をとりまとめてプリントショップに注文するのが一般的なやり方である。
【特許文献１】特開２００５−１８１６５３号公報
【発明の開示】
【発明が解決しようとする課題】
【０００３】
しかしながら、上記の従来からのやり方では、多数のプリント注文者のプリント注文をとりまとめる作業が煩雑であり、とりまとめ作業を行う者の負担となっていた。
かといって、多数のプリント注文者が個々にプリントショップへ写真プリントの作製注文を直接出したのでは、ばらばらに舞い込んでくるプリント注文についてその都度に写真プリントの作製作業を行うプリントショップの負担が大となってしまう。
本発明は、かかる実情に鑑みてなされたものであって、その目的は、各種の行事の撮影写真のように一群の画像に対して多数のプリント注文者が写真プリントの作製注文をする場合に、各当事者の作業負担を可及的に低減できるようにする点にある。
【課題を解決するための手段】
【０００４】
本出願の第１の発明は、画像データ保存装置に保存されている画像データの画像についての写真プリントの作製注文をするプリント注文者から前記作製注文を受付ける注文受付部と、その受付けた前記作製注文に従って、前記画像データ保存装置に保存されている画像データを読出して写真プリントを作製するように写真プリント装置へ指示するプリント指示部とが備えられたプリント注文受付システムにおいて、複数のプリント注文者から前記作製注文を受付けることを予定している一群の画像の画像データである第１画像データ群と、単一のプリント注文者から前記作製注文を受付けることを予定している一群の画像の画像データである第２画像データ群とが混在して前記画像データ保存装置に記憶保持されている場合において、前記第１画像データ群についての前記作製注文の処理のための基本処理期間が設定され、その基本処理期間内に前記第１画像データ群についての前記作製注文を受付けたときには、前記注文受付部は、その作製注文の指示内容を示す情報を記憶保持し、前記プリント指示部は、前記基本処理期間の経過後に、前記注文受付部に記憶保持されている前記基本処理期間内に受付けた前記第１画像データ群についての全ての前記作製注文の前記指示内容を示す情報に従って、前記写真プリント装置に写真プリントの作製を指示し、前記第２画像データ群についての前記作製注文を受付けたときには、注文受付部が受付けた前記作製注文の指示内容を示す情報に従って、前記プリント指示部が直ちに前記写真プリント装置に写真プリントの作製を指示するように構成されている。
【０００５】
すなわち、学校等の各種の行事の撮影写真のように一群の画像に対して多数のプリント注文者が写真プリントの作製注文（以下、単に「プリント注文」という）をすることが予定されている場合には、誰かがそれらのプリント注文をとりまとめるのではなく、各プリント注文者が個々にプリント注文受付システムの注文受付部に対してプリント注文を行う。
但し、そのように個々のプリント注文を受付けても、直ちに個々のプリント注文について写真プリント装置にてプリント処理されるわけではなく、ある程度の期間（前記基本処理期間）を設定しておき、その期間内では受付けたプリント注文の指示内容の情報を記憶保持して行く。
そして、その期間が経過した時点で、その期間内の全てのプリント注文について写真プリント装置にてまとめてプリント処理するのである。
一方、注文受付部がプリント注文者から受付けたプリント注文が前記第２画像データ群についてのもの、すなわち通常のリプリントの注文であるときには、そのような猶予期間を設けず直ちにプリント処理して、プリント注文者の要望に応える。
【０００６】
又、本出願の第２の発明は、上記第１の発明の構成に加えて、前記基本処理期間は、前記第１画像データ群についての前記作製注文を受付け可能な期間として前記プリント注文者に対して提示されている期間と一致させてある。
すなわち、学校等の各種の行事の撮影写真についてのプリント注文の受付けの場合、延々とプリント注文を待ち続けることはできないので、通常、プリント注文の受付け期間を設定してプリント注文者に対して告知される。
そのような場合に、上述の基本処理期間をそのプリント注文の受付け可能期間に一致させることで、その一群の画像についてのプリント処理を単一のプリント処理として完遂させることができる。
【０００７】
又、本出願の第３の発明は、上記第１又は第２の発明の構成に加えて、前記注文受付部に、前記プリント注文者のクライアントコンピュータからインターネットを経て前記作製注文を受け取るプリント受注用のサーバコンピュータが備えられている。
従って、プリント注文者は、自身が使用するコンピュータからプリント注文を行えるため、プリント注文を受付ける店舗等に出向く必要がなく、負担が軽減される。
プリント注文を受付ける側にとっても、プリント注文者が送信したデータをそのまま利用できるので、データの入力作業負担を軽減できる。
【０００８】
又、本出願の第４の発明は、上記第３の発明の構成に加えて、前記サーバコンピュータは、前記プリント注文者のクライアントコンピュータからの送信要求に応じて、前記作製注文の候補となる画像の縮小画像と前記作製注文の指示内容を入力するためのフォーマットとを前記クライアントコンピュータのモニタに表示させるためのファイルを送信するように構成されている。
従って、プリント注文者は、プリント注文をする際に、注文受付けようのサーバコンピュータにアクセスすると、プリント注文の候補となる画像の縮小画像とプリント注文の内容を入力するフォーマットとを表示するためのファイルを受取り、それがモニタに表示される。
プリント注文者は、モニタ表示される画像でプリント注文の対象を的確に特定しながら必要な入力操作を行うことができる。
【発明の効果】
【０００９】
上記第１の発明によれば、学校等の各種の行事の撮影写真のように一群の画像に対して多数のプリント注文者がプリント注文をすることが予定されている場合に、誰かがそれらのプリント注文をとりまとめるのではなく、各プリント注文者が個々にプリント注文受付システムの注文受付部に対してプリント注文を行い、しかも、直ちに個々のプリント注文について写真プリント装置にてプリント処理されるわけではなく、ある程度の期間内のプリント注文についてまとめてプリント処理するので、各当事者の作業負担を可及的に低減できる。
【００１０】
上記第２の発明によれば、学校等の各種の行事の撮影写真のように一群の画像に対して多数のプリント注文者がプリント注文をすることが予定されている場合に、その一群の画像についてのプリント処理を単一のプリント処理として完遂させることができるので、プリント処理の処理負担を可及的に軽減できる。
上記第３の発明によれば、プリント注文者は、プリント注文を受付ける店舗等に出向く必要がなく、プリント注文を受付ける側にとっても、プリント注文者が送信したデータをそのまま利用できるので、当事者の負担をより一層軽減できる。
上記第４の発明によれば、プリント注文者は、モニタ表示される画像でプリント注文の対象を的確に特定しながら必要な入力操作を行うことができるので、プリント注文作業を一層簡単に行えるものとなった。
【発明を実施するための最良の形態】
【００１１】
以下、本発明のプリント注文受付システムの実施の形態を図面に基づいて説明する。
このプリント注文受付システムは、インターネットを経由して自宅から写真プリントの作製注文を行えるシステムであり、いわゆるリプリントのプリント注文のように、一群の画像について単一のプリント注文者からプリント注文を受付けることを予定している通常のプリント注文はもちろんであるが、更に、一群の画像について複数のプリント注文者からプリント注文を受付けることを予定している場合のプリント注文にも対応している。
この一群の画像について複数のプリント注文者からプリント注文を受付けることを予定している場合とは、例えば、小学校や幼稚園等で運動会あるいは遠足等の行事が催される際に、プロのカメラマンがその行事の種々の場面を撮影し、その撮影した写真について、行事に参加した生徒や生徒の家族等がプリント注文するような場合であり、以下の実施形態においても、そのようなケースを想定して説明する。
【００１２】
本実施の形態で例示するプリント注文受付システムは、図１に概略的な配置を示すように、写真プリントの作製を希望する者（プリント注文者）が、自己のパーソナルコンピュータＣＬをクライアントコンピュータとして、プリント注文を受付けるプリント受注用のサーバコンピュータＰＳにインターネットを経由して接続し、写真プリントの作製に必要となる、プリント枚数及びプリントサイズを指定する情報等のデータを送信する形態で写真プリントの作製注文（プリント注文）を行う。
本実施の形態では、サーバコンピュータＰＳは、プリントショップによって運営されているものとして説明するが、多数のプリントショップの代理としてプリント注文を集中的に受付ける事業者が運営するものであっても良い。
【００１３】
各プリントショップには、上記のサーバコンピュータＰＳの他に、例えば図２に外観を例示するようないわゆるデジタルミニラボシステムと称される写真プリント装置ＥＰと、写真プリントを作製するための画像データを保存する画像データ保存装置ＩＳが設置されており、これらがＬＡＮにて接続されている。
図２に例示する写真プリント装置ＥＰは、印画紙マガジン１にロール状に収納されている印画紙を引き出し、画像データ保存装置ＩＳから読出した画像データ、デジタルカメラの撮影画像を記録したメモリーカードの画像データ、更には、フィルム読取り装置２にて読取った写真フィルムの画像データに基づいて、レーザビーム露光エンジン等のプリントエンジンにて印画紙上に画像を露光形成し、高画質の写真プリントを高速に作製する。
【００１４】
上述のように、本実施の形態のプリント注文受付システムは、一群の画像について単一のプリント注文者からプリント注文を受付けることを予定している通常のプリント注文と、一群の画像について複数のプリント注文者からプリント注文を受付けることを予定している場合のプリント注文とに対応しており、図１では、上記の通常のプリント注文を行うものとして「プリント注文者（一般）」と表記するパーソナルコンピュータＣＬを図示する共に、一群の画像について複数のプリント注文者からプリント注文を受付ける場合として学校行事で撮影した写真プリントのプリント注文を受付ける場合を想定して、「プリント注文者（生徒の自宅）」と表記するパーソナルコンピュータＣＬを図示している。
【００１５】
このようなプリント注文の受付態様に対応して、プリントショップの画像データ保存装置ＩＳには、複数のプリント注文者からプリント注文を受付けることを予定している一群の画像の画像データ（以下において、「第１画像データ群」と称する場合がある）と、単一のプリント注文者からプリント注文を受付けることを予定している一群の画像の画像データ（以下において、「第２画像データ群」と称する場合がある）とが混在して記憶保存されており、本実施の形態でのプリント注文者は、この画像データ保存装置ＩＳに保存されている画像データの画像についての写真プリントの作製注文（プリント注文）をすることになる。
説明の便宜上、前記第１画像データ群についてプリント注文するプリント注文者を「学校行事のプリント注文者」と称し、前記第２画像データ群についてプリント注文するプリント注文者を「リプリントのプリント注文者」と称する。
【００１６】
〔写真プリントの作製注文〕
サーバコンピュータＰＳにはＷｅｂサーバプログラムが組み込まれており、プリント注文者が写真プリントの作製注文を行うには、自己のパーソナルコンピュータＣＬに組み込まれている汎用のＷｅｂ閲覧用プログラムを利用して、サーバコンピュータＰＳにアクセスする。
このサーバコンピュータＰＳへのアクセスのために、リプリントのプリント注文者には、初回の写真プリント作製時に、プリントショップからアクセスＩＤコード，パスワード及びサーバコンピュータＰＳのＵＲＬ情報とが提供されている。
一方、学校行事のプリント注文者のためには、生徒が写真プリントの購入を学校側に希望すると、学校側が、プリントショップに対してアクセスＩＤコード及びパスワードの発行を依頼し、更に、発行されたアクセスＩＤコード，パスワード及びサーバコンピュータＰＳのＵＲＬ情報を生徒に配布する。
【００１７】
以下、プリント注文の処理過程を、サーバコンピュータＰＳが実行する図３乃至図５のフローチャートに基づいて説明する。
プリント注文者が自身のパーソナルコンピュータＣＬからサーバコンピュータＰＳへアクセスし、指定されたアクセスＩＤコードやパスワードを入力してサーバコンピュータＰＳへ送信すると、サーバコンピュータＰＳは、そのアクセスＩＤコードやパスワードが正規のものであれば図３の注文受付準備処理を開始する。
先ず、パーソナルコンピュータＣＬから送信されて来たアクセスＩＤコードに対応するオーダーの画像データが画像データ保存装置ＩＳに保存されているか否かを確認し（ステップ＃１）、保存されていなければ、その旨を記述したファイルをパーソナルコンピュータＣＬへ送信する（ステップ＃３）。
【００１８】
画像データ保存装置ＩＳに保存されていれば、更に、アクセスＩＤコードが、上記のリプリントのプリント注文者であるか、あるいは、上記の学校行事のプリント注文者であるかを確認し（ステップ＃２）、学校行事のプリント注文者であるときは、そのアクセスＩＤコードに対して設定されているプリント注文を受付け可能な期間であるか否かを確認する（ステップ＃６）。
このプリント注文を受付け可能な期間は、プリントショップから学校側に対してその期間内にプリント注文を行うべきものとして指定している期間であり、プリント注文をしようとする生徒に学校側から周知されている。
プリント注文が学校行事のプリント注文者からのものであり、しかも、そのプリント注文がプリント注文を受付け可能な期間を過ぎているときは、その旨を記述したファイルをパーソナルコンピュータＣＬへ送信する（ステップ＃７）。
【００１９】
プリント注文がリプリントのプリント注文者であるとき、及び、学校行事のプリント注文者であって上記のプリント注文を受付け可能な期間の期間内であるときは、図６に例示するような画面表示を行わせるファイル（注文用ファイル）を作製して（ステップ＃４）、その注文用ファイルをパーソナルコンピュータＣＬへ送信する（ステップ＃８）。
プリント注文者のパーソナルコンピュータＣＬがその注文用ファイルを受信すると、ウェブ閲覧用プログラムは、パーソナルコンピュータＣＬのモニタに図６に例示するようなプリント注文画面を表示させる。すなわち、パーソナルコンピュータＣＬからのアクセスＩＤコードやパスワードの送信は、上記注文用ファイルの送信要求にもなっている。
図６の表示例は、学校行事のプリント注文者である場合の画面表示を例示しているが、リプリントのプリント注文者についての画面表示もほとんど同じである。
【００２０】
図６の画面表示を行うファイルは、プリント注文の候補となる画像の縮小画像とプリント注文の指示内容を入力するためのフォーマットとをパーソナルコンピュータＣＬのモニタに表示させるためのファイルであり、プリント注文の候補となる画像を縮小画像で表示する縮小画像表示欄１１，プリントサイズを入力するためのプリントサイズ入力欄１２，及び、プリント枚数を入力するためのプリント枚数入力欄１３を有するデータ入力欄１０が表示され、更にデータ入力欄１０の側脇に、プリントサイズ入力欄１２等に入力操作した情報によってプリント注文を確定する注文ボタン表示１４と、プリントサイズ入力欄１２等に入力操作した情報によってプリント注文を確定すると共に、更に後続の画像についての注文用ファイルの送信を要求するための次要求ボタン表示１５と、プリントサイズ入力欄１２等の入力データをクリアするためのクリアボタン表示１６とが表示されるように記述されている。
又、上記の各ボタン表示１４，１５，１６の機能を実現するための処理手順も記述されている。
【００２１】
パーソナルコンピュータＣＬのモニタ画面上に、図６のような表示が行われている状態で、プリント注文者がプリントサイズ入力欄１２等に必要な入力を行い、注文ボタン表示１４あるいは次要求ボタン表示１５をマウス等にて操作すると、プリントサイズ入力欄１２やプリント枚数入力欄１３に入力されたデータ、及び、注文ボタン表示１４あるいは次要求ボタン表示１５の何れを操作したかを示す情報、更には、前記注文用ファイルの識別情報（前記注文用ファイルに固有のコード）等がサーバコンピュータＰＳへプリント注文データとして送信される。
【００２２】
サーバコンピュータＰＳは、このプリント注文データを受信すると図４に示す注文受付処理を開始する。
先ず、プリント注文データに含まれる前記注文用ファイルの識別情報等からそれの送り主を特定して、プリント注文者がリプリントのプリント注文者であるかあるいは学校行事のプリント注文者であるかを判断する（ステップ＃１１）。
リプリントのプリント注文者であるときは、直ちに、写真プリント装置ＥＰに対して、プリント注文データに含まれるプリント注文の指示内容（プリント対象の画像を特定する情報、並びに、それのプリントサイズ及びプリント枚数）を送信し、プリント対象として指定された画像の画像データを画像データ保存装置ＩＳから読出して、上記の指示内容に従ってプリント処理するように指示する（ステップ＃１２）。
従って、サーバコンピュータＰＳは、プリント注文者からプリント注文を受付ける注文受付部ＯＲとして機能すると共に、画像データ保存装置ＩＳに保存されている画像データを読出して写真プリントを作製するように写真プリント装置ＥＰへ指示するプリント指示部ＰＣとしても機能する。
【００２３】
一方、プリント注文者が学校行事のプリント注文者であるときは、上記のプリント注文を受付け可能な期間内であるか否かを判定して（ステップ＃１３）、期間内であれば、プリント注文データに含まれるプリント注文の指示内容（プリント対象の画像を特定する情報、並びに、それのプリントサイズ及びプリント枚数）を記憶装置に記憶保持する（ステップ＃１５）。
このとき、同一のプリント注文者について既にプリント注文のデータを記憶保持しているときは、既存の注文内容のデータと新規に受け取った注文内容のデータとを合体させて記憶保持する。
更に、パーソナルコンピュータＣＬから送られてきた上記プリント注文データに含まれる注文ボタン表示１４あるいは次要求ボタン表示１５の何れが操作されたかを示す情報が、注文の完了を示す注文ボタン表示１４ではなく、次要求ボタン表示１５を操作したことを示す情報であれば（ステップ＃１７）、図３の処理を呼び出して更に注文用ファイルをパーソナルコンピュータＣＬへ送信する。この際に、注文用ファイルに含まれる縮小画像は、先に送った画像の縮小画像に後続する画像の縮小画像となる。
【００２４】
サーバコンピュータＰＳでは、以上のようにしてプリント注文を受注処理するのと並行して、図５に示す受付期間管理処理を定期的（例えば、１日に１回等）に実行している。
この処理では、先ず、学校行事のプリント注文（前記第１画像データ群についてのプリント注文）の処理のために基本処理期間が設定されているか否かを確認する（ステップ＃２１）。
この基本処理期間は、その期間内に受付けたプリント注文を一括してプリント処理の対象とする期間であり、１つの学校行事等についての写真撮影を１単位として、その１単位の中で設定され、本実施の形態では、上記のプリント注文を受付け可能な期間と一致させている。又、設定された前記基本処理期間は、対応する第１画像データ群についての各プリント注文の指示内容の記憶情報とも対応付けられている。
【００２５】
前記基本処理期間が少なくとも１つ設定されているとき、この処理の実行時点がその基本処理期間を経過しているか否かを判定する（ステップ＃２２）。
前記基本処理期間を経過していれば、その基本処理期間内にその基本処理期間と対応する前記第１画像データ群について受けた全てのプリント注文の指示内容を読出して、それを写真プリント装置ＥＰへ送信し、プリント対象として指定された画像の画像データを画像データ保存装置ＩＳから読出して、プリント注文の指示内容に従ってプリント処理するように指示する（ステップ＃２３）。
基本処理期間は、上述のように、その期間内に受付けたプリント注文を一括してプリント処理の対象とする期間であり、プリント注文を受付け可能な期間を分割して設定しても良い。但し、そのように分割することによって、１つの学校行事等についての写真撮影に対して複数の基本処理期間が存在することになっても、それの性質上、各期間が重複して存在することはない。又、プリント注文を受付け可能な期間内に前記基本処理期間が設定されていない空白の期間が存在することもない。
【００２６】
従って、図３のステップ＃６や図４のステップ＃１３において、パーソナルコンピュータＣＬから送信されてきたプリント注文を受付けて、そのプリント注文の指示内容の情報を記憶保持するか否か等を、プリント注文を受付け可能な期間内か否かによって判断しているが、それをそのまま前記基本処理期間内か否かの判断に置き換えても全く同じ意味である。
つまり、前記基本処理期間内に前記第１画像データ群についての前記作製注文（学校行事のプリント注文）を受付けたときには、その作製注文の指示内容を示す情報を記憶保持し、前記基本処理期間の経過後に、記憶保持されている前記基本処理期間内に受付けた前記第１画像データ群についての全ての前記作製注文の前記指示内容を示す情報に従って、写真プリント装置ＥＰに写真プリントの作製を指示しているのである。
これに対して、前記第２画像データ群についての前記作製注文（リプリントのプリント注文）を受付けたときには、受付けた前記作製注文の指示内容を示す情報に従って、直ちに写真プリント装置ＥＰに写真プリントの作製を指示している。
【００２７】
〔別実施形態〕
以下、本発明の別実施形態を列記する。
（１）上記実施の形態では、写真プリント装置ＥＰとは別個にサーバコンピュータＰＳを設けて、プリント注文の受付けと、受付けたプリント注文に基づくプリント処理の指示とを行わせる場合を例示しているが、これらの機能を写真プリント装置ＥＰ自体に備えさせても良い。
更に、写真プリント装置ＥＰに画像データ保存装置ＩＳの機能をも備えさせるようにしても良い。
（２）上記実施の形態では、サーバコンピュータＰＳに対して汎用のＷｅｂ閲覧用プログラムにてアクセスする場合を例示しているが、サーバコンピュータＰＳにアクセスしてプリント注文するための専用プログラムをプリントショップが配布するように構成しても良い。
（３）上記実施の形態では、写真プリント装置ＥＰとして、印画紙に対してレーザビームを走査して画像を露光形成するレーザビーム露光エンジンを備えて構成する場合を例示しているが、インクジェットプリント形式等の各種のプリント形式の写真プリント装置を採用することができる。
【図面の簡単な説明】
【００２８】
【図１】本発明の実施の形態にかかるシステムの全体構成図
【図２】本発明の実施の形態にかかる写真プリント装置の例示図
【図３】本発明の実施の形態にかかるフローチャート
【図４】本発明の実施の形態にかかるフローチャート
【図５】本発明の実施の形態にかかるフローチャート
【図６】本発明の実施の形態にかかる画面表示例を示す図
【符号の説明】
【００２９】
ＥＰ  写真プリント装置
ＩＳ  画像データ保存装置
ＣＬ  クライアントコンピュータ
ＯＲ  注文受付部
ＰＣ  プリント指示部
ＰＳ  サーバコンピュータ
【図１】
2007259208.tif 000003
【図２】
2007259208.tif 000004
【図３】
2007259208.tif 000005
【図４】
2007259208.tif 000006
【図５】
2007259208.tif 000007
【図６】
2007259208.tif 000008